(57)【特許請求の範囲】
【請求項１】
リッドを備え、このリッドがそれに配置されたスライド要素を介して、ルーフ開口の側方エッジに沿って配置された案内レール上を摺動可能に案内され、この案内レールが摺動方向に変化する相互間隔を有し、スライド要素が摺動方向に対して横方向にリッドと相対的に補正動作を行うことができる、車両用スライドルーフ装置において、リッド（６）の両側の側方エッジの範囲に設けられた少なくとも１対の第１のスライド要素（７）が、リッド（６）の縦方向中心線（１２）に関して対称に配置され摺動方向に対して斜めに延びるガイド（１０）を介して摺動可能にリッド（６）に連結されていることを特徴とするスライドルーフ装置。
【請求項２】
第１のスライド要素（７）に加えて、リッド（６）を摺動方向に縦方向案内するための他の手段（８）が設けられていることを特徴とする請求項１記載のスライドルーフ装置。
【請求項３】
第１のスライド要素（７）のためのガイド（１０）がそれぞれ、案内レール（９）の中間の延長形状と反対向きに傾斜していることを特徴とする請求項１または２記載のスライドルーフ装置。
【請求項４】
第１のスライド要素（７）がリッド（６）の前側範囲に配置されていることと、リッド（６）を縦方向案内するための他の手段（８）が、リッド（６）の後側範囲に配置された少なくとも１対の第２のスライド要素（８）によって形成され、この第２のスライド要素が同様に、斜めに延びるガイド（１１）を介して摺動可能にリッド（６）に連結されていることを特徴とする請求項２または３記載のスライドルーフ装置。
【請求項５】
１対のスライド要素（７）のためのガイド（１０）が、縦方向中心線（１２）に対して約４５°の角度で配置されていることと、他の１対のスライド要素（８）のためのガイド（１１）が、案内レール（９）の延長形状に依存して配向されていることを特徴とする請求項１〜４のいずれか一つに記載のスライドルーフ装置。
【請求項６】
リッドを備え、このリッドがそれに配置されたスライド要素を介して、ルーフ開口の側方エッジに沿って配置された案内レール上を摺動可能に案内され、この案内レールが摺動方向に変化する相互間隔を有し、スライド要素が摺動方向に対して横方向にリッドと相対的に補正動作を行うことができる、車両用スライドルーフ装置において、リッド（６１）の両側の側方エッジ（７０、７１）の範囲に配置された少なくとも１対の第１のスライド要素（６８、８２）が、リッドの縦方向中心線（５９）に関して対称に配置されリッドの摺動方向（６０）に対してほぼ横方向に延びるガイド（６９）を介して摺動可能にリッドに連結されていることと、対のスライド要素（６８、８２）がリッド（６１）と相対的なその横方向運動を互いに同期させる装置（６６、７３）を介して互いに連結されていることを特徴とするスライドルーフ装置。
【請求項７】
第１のスライド要素（６８、８２）に加えて、リッドを摺動方向に縦方向案内するための他の手段（８６、８７）が設けられていることを特徴とする請求項６記載のスライドルーフ装置。
【請求項８】
第１のスライド要素（６８、８２）がリッド（６１）の前側範囲に配置されていることと、リッドを縦方向案内するための他の手段が、リッドの後側範囲に配置された少なくとも１対の第２のスライド要素（８６、８７）によって形成され、この第２のスライド要素が第１のスライド要素（６８、８２）に対応して案内され、かつ横方向の同期運動のために互いに連結されていることを特徴とする請求項７記載のスライドルーフ装置。
【請求項９】
互いに対をなすスライド要素（６８、８２）のための同期装置が、両スライド要素を互いに連結する操作棒装置によって形成され、この操作棒装置が、それぞれスライド要素に付設された２本の操作棒（６６、６６′）を備え、この操作棒が連結装置（７３）を介して反対方向に摺動可能に相互連結されていることを特徴とする請求項６〜８のいずれか一つに記載のスライドルーフ装置。
【請求項１０】
操作棒装置が、それぞれスライド要素（６８、８２）に固定連結された２本の操作棒（６６、６６′）を備え、この操作棒の互いに向き合った端部が、反対向きのねじ（７２、７２′）を介して、連結軸（７３）に形成されたねじ相手方手段（７５、７５′）に係合し、この連結軸が両操作棒にとって共通であり、リッドに回転可能にかつ軸方向に摺動不能に支承されていることを特徴とする請求項９記載のスライドルーフ装置。
【請求項１１】
少なくとも１対のスライド要素（７）が付設の駆動手段（Ｍ、Ｋ）を介して案内レール（９）に沿って調節可能であることを特徴とする請求項１〜１０のいずれか一つに記載のスライドルーフ装置。
【請求項１２】
それぞれ第１のスライド要素（７）と付設の第２のスライド要素（８）が互いに連結され、特に固定されていることを特徴とする請求項２〜１１のいずれか一つに記載のスライドルーフ装置。
【請求項１３】
スライド要素用のガイド（３１、３２；３４、３５）がそれぞれ、リッド（３）に配置され摺動方向に対して横方向に延びる補強用成形体（３０；３３）と一体に形成されていることを特徴とする請求項１〜１２のいずれか一つに記載のスライドルーフ装置。
【発明の詳細な説明】
【０００１】
【発明の属する技術分野】
本発明は、リッドを備え、このリッドがそれに配置されたスライド要素を介して、ルーフ開口の側方エッジに沿って配置された案内レール上を摺動可能に案内され、この案内レールが摺動方向に変化する相互間隔を有し、スライド要素が摺動方向に対して横方向にリッドと相対的に補正動作（補償動作）を行うことができる、車両用スライドルーフ装置に関する。
【０００２】
【従来の技術】
最新の自動車の場合、車両ルーフはしばしば縦方向に変化する幅を有する。すなわち、上から見て、例えば後方に向かって狭くなっている形を有するかあるいは中央がくびれた形を有する。このような車両ルーフのためのスライドルーフ装置の場合、ルーフ開口をできるだけ大きくするために、ルーフ開口ひいてはリッドを車両ルーフのそれぞれの形状に合わせる必要がある。その結果、リッドの摺動案内のための案内レールもそれぞれのルーフ形状に適合した延長形状を有する。すなわち、案内レールは一般的には前側から後側に向かって線形にまたは非線形に小さくなる相互間隔を有する。理想的な場合には、案内レールはくびれたルーフ形状に合わせて湾曲した延長形状を有する。しかし、この湾曲延長形状に近似させて、案内レール（ルーフレール）を多数の直線で形成しなければならない。なぜなら、案内レールの曲がりのため、スライド要素用の複雑な複数の案内溝と、スライド要素の摺動駆動のための駆動ケーブル等を含む横断面が、大きな技術的コストを必要とするからである。スライド要素が傾斜または湾曲したこのような案内レールの延長形状に沿って移動できるようにするために、スライド要素は、摺動方向に対して横向きの補正動作を行うことができるように、リッドに連結されている。
【０００３】
横方向幌骨がスライド要素を介して案内レールに沿って案内される自動車用折畳みルーフが知られている（例えば特許文献１参照）。このスライド要素は、案内レールの間隔が変化するときに補正運動を行うことができるようにするために、幌骨の摺動方向に対して横方向に幌骨と相対的に移動可能である。この横方向に移動のために、幌骨は横方向において確実にセンタリングされていないので、車両ルーフは側方に移動し得る。したがって、このような構造は特に剛性のリッドを備えたスライドルーフには使用することができない。
【０００４】
冒頭に述べた種類のスライドルーフ装置が既に知られている（例えば特許文献２参照）。このスライドルーフ装置の場合、前側から後側に向かって収斂する２本の案内レールが設けられている。その際、スライド要素はそれぞれ平行四辺形レバー装置によってリッドに連結されている。この連結は、スライド要素が摺動方向に対して横方向に補正動作を行い、それによって案内レール間の間隔の変化を補償できるように行われる。この公知の構造の欠点は、各レバー装置が４個の枢着点を備え、この枢着点がリッドの操作の度に枢着運動を行い、更にリッドに作用する力によって負荷されることにある。リッドを案内するために一般的に、４個のスライド要素が設けられているので、多数の枢着点が必要である。この枢着点は大きく摩耗するので、長期間の使用の後で、リッドの支承部が不安定になり、リッドが特に開放状態および高速走行時にガタつく危険がある。他の欠点は、レバー装置が比較的に大きなスペースを占めるので、レバー装置がルーフ開口内に突出し、特にガラスリッドの場合に視界の邪魔になることにある。
【０００５】
【特許文献１】
独国特許第４３０６４５１号明細書
【０００６】
【特許文献２】
独国特許出願公開第１０００２４５７号明細書
【０００７】
【発明が解決しようとする課題】
本発明の課題は、リッドのセンタリングがあらゆる位置で確実に保証され、スライド要素とリッドの連結が技術的に簡単であり、かつ比較的に狭い組み込みスペースしか必要とせず、それによってガラスルーフの場合に美的に形成可能である、冒頭に述べた種類のスライドルーフ装置を提供することである。
【０００８】
【課題を解決するための手段】
この課題は本発明に従い、リッドの両側の側方エッジの範囲に設けられた少なくとも１対の第１のスライド要素が、リッドの縦方向中心線に関して対称に配置され摺動方向に対して斜めに延びるガイドを介して摺動可能にリッドに連結されていることによって解決される。
【０００９】
リッドの摺動の際、案内レールの延長形状が拡散または収斂しているために、スライド要素の相互間隔が変化すると、スライド要素は同時に、リッドに形成されたガイドに沿って、リッドの縦方向中心線に関して対称に内側または外側に移動する。この場合、リッドの横方向位置がスライド要素の高さ位置で常に一義的に決定され、リッドが遊びなしに側方に案内されるので、リッドは摺動方向に対して横方向においてセンタリングされたままである。
【００１０】
リッドが垂直軸線（Ｚ軸線）回りに回転し、場合によっては更に横方向の運動を行うことを防止するために、本発明の他の実施形では、第１のスライド要素に加えて、リッドを摺動方向に縦方向案内するための他の手段が設けられている。この他の手段は後述するように、上記のような回転を阻止する。
【００１１】
本発明の有利な実施形では、第１のスライド要素のためのガイドがそれぞれ、案内レールの中間の延長形状と反対向きに傾斜している。それによって、実施の形態に基づいて一層正確に説明するように、案内レールに沿ったスライド要素の摺動運動に加えて、所望な摺動方向におけるスライド要素と相対的な他の摺動運動がリッドに重ね合わされる。
【００１２】
本発明の特別な構造的実施形の場合、第１のスライド要素がリッドの前側範囲に配置され、リッドを縦方向に案内するための他の手段が、リッドの後側範囲に配置された少なくとも１対の第２のスライド要素によって形成され、この第２のスライド要素が同様に、斜めに延びるガイドを介して摺動可能にリッドに連結されている。この第２のスライド要素は、第１のスライド要素とほぼ同じに形成されている。第１と第２のスライド要素が、リッドの左側または右側で一定の間隔をおいて互いに連結されていると、後側のスライド要素のためのガイドの傾斜位置は、ルーフ固定の案内レールの延長形状と、前側のスライド要素のガイドの形状によって影響を受けるリッドの運動とによって生じる。しかし、まず最初に後側のガイドの向きを決定し、前側のガイドの延長形状を後側のガイドに合わせることができる。前側のスライド要素と後側のスライド要素を連結することにより、リッド支承部の強度が大幅に高まり、かつリッド支承部の遊びが無くなる。
【００１３】
本発明の有利な実施形では、１対のスライド要素のためのガイドが、リッドの縦方向中心線に対して約４５°の選択された角度を有し、実施の形態に基づいて一層正確に説明するように、他の１対のスライド要素のためのガイドがそれによって設定されたリッドの運動から生じる延長形状を有する。例えば４５°の角度が非常に適していることが判った。というのは、この角度がガイド内でのスライド要素の充分な動きやすさと、同時に横方向におけるリッドの確実な案内を保証するからである。この角度に限定されず、例えば３０°〜６０°の角度範囲を使用してもよい。
【００１４】
上述の実施形の場合、横方向におけるリッドのセンタリングは、スライド要素のためのガイドの傾斜によって達成される。本発明では、横方向におけるリッドのセンタリングは例えば、対をなすスライド要素の横方向運動をリッドに関して強制的に同期させ、その際、スライド要素がリッドの縦方向中心軸線の方にまたはこの縦方向中心軸線から離れる方向に強制的に均等に移動することによって達成可能である。そのために、本発明の実施形によれば、リッドの両側の側方エッジの範囲に配置された少なくとも１対の第１のスライド要素（突起、スライドシュー）が、リッドの縦方向中心線に関して対称に配置されリッドの摺動方向に対してほぼ横方向に延びるガイド（縦方向スリット）を介して摺動可能にリッドに連結され、対のスライド要素（突起、スライドシュー）がリッドと相対的なこのスライド要素の横方向運動を互いに同期させる装置（操作棒、連結軸）を介して互いに連結されている。このような装置は、実施の形態に基づいて詳しく説明する。
【００１５】
この実施形の場合にも、垂直軸線回りのリッドの回転を防止するために、前述の実施形の場合のように、第１のスライド要素（突起、スライドシュー）に加えて、リッドを摺動方向に縦方向案内するための他の手段（突起、スライドシュー）が設けられている。その際、例えば第１のスライド要素（突起、スライドシュー）がリッドの前側範囲に配置され、リッドを縦方向案内するための他の手段が、リッドの後側範囲に配置された少なくとも１対の第２のスライド要素（突起、スライドシュー）によって形成され、この第２のスライド要素が第１のスライド要素（突起、スライドシュー）のように案内され、かつ互いに同期的に連結されている。
【００１６】
本発明の実施形では、それぞれ１対のスライド要素（突起、スライドシュー）のための上記同期装置が、両スライド要素を互いに連結する操作棒装置によって形成され、この操作棒装置が、それぞれスライド要素に付設された２本の操作棒を備え、この操作棒が連結装置（連結軸）を介して反対方向に摺動可能に相互連結されている。このような連結装置は、例えば操作レバーの両端を連結する馬車の遊動棒状の双腕レバーによってあるいはラックとして形成された操作棒の端部にかみ合う歯車によって形成可能である。
【００１７】
本発明の有利な実施形では、操作棒装置が、それぞれスライド要素（突起、スライドシュー）に固定連結された２本の操作棒を備え、この操作棒の互いに向き合った端部が、反対向きのねじ（スリット）を介して、連結軸に形成されたねじ相手方手段（横方向ピン）に係合し、この連結軸が両操作棒にとって共通であり、リッドに回転可能にかつ軸方向に摺動不能に支承されている。
【００１８】
摺動方向にリッドを操作するために、本発明の実施形では、少なくとも１対のスライド要素が付設の電気的または手動の駆動手段を介して案内レールに沿って調節可能である。第２の対のスライド要素を積極的に駆動するために、第１のスライド要素と第２のスライド要素は互いに駆動連結可能である。
【００１９】
スライド要素用ガイドをリッドに省スペース的にかつ美的に形成するために、本発明の構造的な実施形では、スライド要素用のガイドがそれぞれ、リッドに配置され摺動方向に対して横方向に延びる補強用成形体と一体に形成されている。
【００２０】
【発明の実施の形態】
本発明の複数の実施の形態が図に示してある。次に、この実施の形態について詳しく説明する。
【００２１】
図１、２は、ルーフ開口２を有する車両ルーフ１の概略的な平面図である。このルーフ開口２は、リッド３によって選択的に閉鎖（図１）または少なくとも部分的開放（図２）可能である。リッド３は公知のごとく、それに配置されたスライド要素を介して案内レール４に沿って案内される。図１、２に示した実施の形態では、案内レール４は車両ルーフ１のくびれた形に適合している。すなわち、案内レール４は、やや湾曲した形で前側から後側に収斂している。このような構造は理想的な解決策と見なされる。というのは、このような構造は、案内レール４の形状が美的であると同時に、最大ルーフ開口を得ることができるからである。図１、２において、判りやすくするために、形が誇張して示してある。特に、案内レール４は外側に更にずらされているので、ルーフ開口２の側方エッジにほぼ密接し、室内からルーフ開口２を経て見える視界を実質的に妨げない。更に、案内レール４をそれぞれ複数の区間、例えば２つの区間に分割し、この区間をそれぞれスライド要素に付設してもよい（図示していない）。
【００２２】
図１、２から容易に判るように、例えばリッド３の下面に配置され案内レール４に係合するスライド要素は、リッド３が図１に示した閉鎖位置から図２に示した開放位置に移動する際に、案内レール４が収斂しているので内側に移動し、そして図１に示した閉鎖位置に戻す際に再び外側に移動する。
【００２３】
図３はほぼ図１、２に従う装置を概略的に示している。リッド６は、閉鎖位置（図３の上側の位置）から開放位置（図３の下側の位置）に摺動可能である。リッド６に配置された前側のスライド要素７と後側のスライド要素８は、案内レール９上に摺動可能に支承されている。スライド要素７、８は同時に、リッド６に形成または取り付けられた前側スライド要素７用ガイド１０または後側スライド要素８用ガイド１１上で摺動可能に案内されている。リッド６が例えば閉鎖位置から開放位置に移動するときに、スライド要素７または８は、一方ではそれぞれ付設された案内レール９に沿って摺動方向に移動し、他方ではそれぞれ付設されたガイド１０または１１に沿ってリッド６の縦方向中心線１２に向かって内側に移動する。本実施の形態に従ってそれぞれ前側のスライド要素７と後側のスライド要素８が連結棒５を介して連結されているので、リッド６の移動時にスライド要素の間隔は一定である。配置が縦方向中心線１２に対して対称であるので、リッド６は、あらゆる摺動位置で縦方向中心線１２に対してセンタリングされたままである。そのために更に次の事実が寄与する。すなわち、前側の両スライド要素７のほかに、図示した実施の形態では、後側のスライド要素８によって形成された、リッド６をその摺動方向に沿って縦方向に案内するための他の手段が設けられ、この手段が垂直軸線（Ｚ軸線）回りのリッド６の回転運動、ひいては横方向運動を確実に防止するという事実が寄与する。
【００２４】
代替的な実施の形態に従って案内レール９が収斂しかつ直線状に形成されていると、ガイド１０、１１はそれぞれ縦方向中心線１２に対して同じ傾斜角度を有する。すなわち、角度αは角度βに等しい。
【００２５】
図３に示した案内レール９の湾曲した形状の場合、前側のスライド要素７は、案内レール９に沿って距離ａだけ縦方向に摺動する際に、付設のガイド１０に沿って横方向距離ｃだけ移動し、スライド要素８は同時に短い横方向距離ｄだけ進む。したがって、角度αの自由選択時に、ガイド１１は必然的に傾斜が急になる。すなわち、角度αよりも小さな角度βが生じる（図３参照）。理論的には、案内レールの延長形状に依存して、後側のガイドを湾曲した延長形状とすることができる。しかし、一般的に、直線状の延長形状は湾曲した延長形状に充分に正確に近似している。
【００２６】
図３から更に判るように、案内レール９が開放方向１３に向かって内側に収斂している場合、ガイド１０、１０または１１、１１はそれぞれ、開放方向に向かって外側に拡散する延長形状を有する。それによって、リッド６を開放方向１３に摺動させる際に、スライド要素７または８と相対的なリッド６の摺動距離ｂがスライド要素７または８の摺動距離ａに重ね合わされるので、リッド６の摺動距離はスライド要素の摺動距離よりも大きい。これは、リッドの所望な摺動距離よりも短く案内レールを形成することを可能にする。
【００２７】
図４はリッド１５の概略的な平面図である。この場合、線１６、１７はそれぞれ前側のガイドの延長形状を示し、線１８または１９はそれぞれ後側のガイドの延長形状を示している。図３との比較から判るように、この配置は図３の配置に類似し、前側のガイド１６、１７が縦方向中心線２０に対して後側のガイド１８、１９よりも大きな角度を有する。
【００２８】
図４から明らかなように、ガイド１６、１７および１８、１９の図示した配置構造の場合、垂直軸線回りのリッド１５のきわめて有効な回転阻止が保証される。例えば点２１（後側のスライド要素）回りの回転は、ガイド１６が比較的に急傾斜であって、点２１を中心とした、点２２（前側のスライド要素）を通って延びる円弧２３に対して大きな角度をなしていることによって効果的に防止される。これと類似の方法で、点２４回りの回転はガイド１７によって、点２５回りの回転はガイド１８によって、そして点２２回りの回転はガイド１９によって効果的に阻止される。図４から更に明らかなように、ガイド１７は点２１回りの揺動運動を阻止するためにあまり寄与しない。なぜなら、ガイド１７と点２１を中心とした円弧２６との間の角度が小さいからである。更に図４から判るように、例えば４５°だけ縦方向中心線２０に対して傾斜したガイド１９′は、急傾斜のガイド１９よりも、点２１を中心とした回転を良好に防止する働きをする。
【００２９】
図５〜８は、図１〜４にほぼ対応するリッドのための前側と後側のガイドを形成するための構造的な詳細を示している。一般的には、特にガラスリッドが前側エッジと後側エッジの範囲において補強用成形体によって補強されている。このような補強用成形体がスライド要素のために必要なガイドと構造的に統合されていると、きわめて望ましい構造となる。図１は、リッド３に付設された前側の補強用成形体３０と後側の補強用成形体３３を概略的に示している。この前側の補強用成形体３０は、その側方の端部がガイド３１、３２に接続されている。後側の補強用成形体３３は、その側方の端部がガイド３４、３５に接続されている。補強用成形体３０または３３は、付設されたガイド３１、３２または３４、３５と一体に形成してもよいし、個々の要素を組み立てることによって形成してもよい。
【００３０】
図５は、前側の補強用成形体４０の端部と、差込み舌片によってこの補強用成形体４０の端部に装着されたガイド要素４１とを、例えばガラスリッドを通して上側から見た図である。この補強用成形体４０は、ガラスリッドの下面に取付けられているかまたは取付け可能である。補強用成形体４０は、ほぼ開放した樋の形の横断面を有する。この樋は開口をリッドの方に向けてリッドの下面に接着される。ガイド要素４１は図５ａに示した横断面において複数溝状の開放した樋の形をしている。この樋の開放側はリッドの方に向き、リッドに接着されている。そのために例えば外側の溝４２に接着剤４３が充填される。この接着剤４３は、ガイド要素４１をリッドに接着する。中央の溝４４は、スライド要素４５のリッド側の部分のためのガイドを形成する。スライド要素のリッド側の部分に連結されたガイドレール側の部分は図示していない。
【００３１】
これと類似の方法で、後側のガイド要素４６は後側の補強用成形体４７に連結されている。この場合、ガイド要素４６内に形成された中央の溝４８は、後側のスライド要素のリッド側の部分のためのガイドを形成している。前側のスライド要素４５と後側のスライド要素４９が連結棒５０によって互いに連結されているので、この連結棒５０は同時に、付設された図示してない案内レールに沿って摺動する。スライド要素４５または４９の一方は例えばアクチュエータ（サーボモータ）に連結されている。図３にはサーボモータＭが示してある。このサーボモータは引張り力と押圧力を伝達するケーブルＫを介して前側のスライド要素７に連結されている。前側のスライド要素７は連結棒５（図３においてリッドの右側にのみ示してある）を介して後側のスライド要素８に連結されている。
【００３２】
図７は、図６のＶＩＩ−ＶＩＩ線に沿った断面を示している。この図７からガイド要素４６の横断面が明らかである。図７においてガイド要素４６の右側の溝５１には、ガイド要素４６をリッドの下面に固定するための接着剤５２が収容され、中央の溝４８はスライド要素４９のためのガイドを形成している。
【００３３】
図８は、図５の補強用成形要素４０とガイド要素４１を上側から見た斜視図である。接着剤４３を収容するための溝４２と、スライド要素４５のリッド側の部分のためのガイドを形成する溝４４が明らかである。スライド要素４５は、輪郭がほぼ長方形の形をし、その端部にスリット付き肉厚部４５′を備えている。この肉厚部４５´は、溝４８の底とそれに対向するリッドとの間で弾性的に拡がる（図７参照）。
【００３４】
図９は、リッド６１の摺動方向６０に対して横方向に摺動可能なスライド要素が設けられた本発明の他の実施の形態を示している。この場合、横方向におけるリッド６１のセンタリングは、次に説明するような異なる方法で行われる。リッド６１の下面には、リッド前側エッジの範囲に、補強用成形体６２が配置され、後側のエッジの範囲に、補強用成形体６３が配置されている。この両補強用成形体６３は図１０、１１に示した横断面形状を有する。これらの図から明らかなように、図示した補強用成形体６２は、接着剤６４によってリッド６１に接着されている。補強用成形体６２は、その縦方向に延びる横断面が円形の溝６５を有する。この溝６５には、操作棒６６が縦方向に摺動可能に支承されている。補強用成形体６２の端部に付設された操作棒６６の端部には、装着片６７が装着されている。この装着片には突起６８が設けられている。この突起は溝６５の端部に形成された縦方向スリット６９を通って外側に突出している。リッド６１の側方エッジ７０とは反対側の側方エッジ７１の範囲に、上記と同様な構造体が設けられている。この側方エッジ７１でも同様に、突起６８′が図示していない操作棒を介して横方向に摺動可能である。
【００３５】
突起６８に付設された操作棒６６と、突起６８′に付設された図示していない操作棒は、突起６８または６８′の横方向運動を同期させるための装置を介して互いに連結されている。この装置は図１２に示してある。突起６８に付設された操作棒６６と、突起６８′に付設された操作棒６６′との互いに向き合った端部は中空棒として形成され、操作棒６６の壁と操作棒６６′の壁はそれぞれらせん状の溝またはスリット（ねじ）７２または７２′を備えている。操作棒６６または６６′の互いに向き合った両端は、連結軸７３によって互いに連結されている。連結軸７３の端部７４または７４′はそれぞれ、付設の中空の操作棒６６または６６′に挿入され、端部７４または７４′に設けられた横方向ピン（ねじ相手方手段）７５または７５′がらせん状のスリット７２または７２′に係合している。スリット７２、７２′の勾配は反対向きであり、そして操作棒６６、６６′が反対向きに縦方向摺動する際に連結軸７３が回転するように選定されている。連結軸７３は、補強用成形体６２内で回転可能であるが軸方向に摺動しないように支承されている。そのために、補強用成形体６２はリッド６１寄りの面７６に、２つのスリット７７を備えている。固定板７８が面７６にねじ止めされるときに、固定板７８に設けられた２個の固定用湾曲部材７９がスリット７７に挿入される。固定用湾曲部材７９が連結軸７３に形成された環状溝８０に係合するので、連結軸７３の縦方向運動が防止される。
【００３６】
上記装置の作用は次の通りである。案内レールに沿って案内されるスライドシューに連結された突起６８、６８′がリッド６１の摺動方向に対して横方向に摺動するときに、この摺動は操作棒６６、６６′と連結軸７３を介して互いに同期するので、突起は同時にかつ反対向きに移動する。連結軸７３がリッド６１に対して横方向に固定されているので、突起６８、６８′はリッド６１の縦方向中心線５９に関して常に対称に移動する。したがって、リッド６１は横方向において常にセンタリングされている。
【００３７】
特に図９から明らかなように、案内レール８１に沿ってリッド６１を案内するためのスライド要素は、リッド６１に付設された突起６８と、案内レール８１に付設されたスライドシュー８２とからなっている。スライドシュー８２は上方が開放したほぼ長方形の箱の形をしている。一方、突起６８は、スライドシュー８２内に遊びなしに係合するように、横断面がほぼ楕円形に形成されている。突起６８が楕円形であるので、突起６８は、スライドシュー８２内で遊びなしに垂直軸線回りに或る程度回転可能である。突起６８のこのような回転は、補強用成形体６２がリッド６１の前側エッジの湾曲した形状に対応してやや湾曲していることによって生じる。突起６８は垂直方向において、スライドシュー８２内でピン８３によって保持されている。このピン８３は、スライドシュー８２の側壁に形成された、突起６８の上記回転を許容するスリット８４を通過し、突起６８に形成された穴８５に挿入されている。
【００３８】
リッド６１の後側エッジの範囲には、上記の構造体と類似の構造体が設けられている。２個の突起８６、８６′は後側の補強用成形体６３内に、リッド６１の摺動方向に対して横方向に摺動可能に配置され、上述の装置に類似する、横方向摺動を同期させる装置によって互いに連結されている。図９から判るように、例えば突起８６は案内レール８８内を摺動可能なスライドシュー８７に係合している。突起８６とスライドシュー８７はスライド要素を形成している。突起８６は垂直方向において、突起６８とスライドシュー８２に基づいて説明したのと同じ方法で、スライドシュー８７に連結されている。図９から明らかなように、スライドシュー８７と突起８６は、突起６８およびスライドシュー８２と異なり、案内レール８８の縦方向に向いている。この構造体は、リッドの摺動方向に作用する負荷に対して大きな破断強さを有する。この構造は特に、正面衝突時にリッドに作用する力を受け止める役目もする。
【図面の簡単な説明】
【図１】スライドルーフ構造体を備えた自動車ルーフの、リッドが閉鎖された状態を示す概略的な平面図である。
【図２】リッドが開放した状態を示す、図１と同様な図である。
【図３】摺動可能なリッドの前側位置および後側位置と、リッドに設けられたスライド要素のガイドを概略的に示す図である。
【図４】スライド要素のための異なる方向に向いたガイドを備えたリッドを概略的に示す図である。
【図５】リッドの前側エッジの範囲に形成されたスライド要素用ガイドの構造を示す図である。図５ａは図５のＶ−Ｖ線に沿った断面図である。
【図６】リッドの後側エッジの範囲に形成されたスライド要素用ガイドの構造を示す図である。
【図７】図６のＶＩＩ−ＶＩＩ線に沿った断面図である。
【図８】図５の構造体の斜視図である。
【図９】変形されたスライド要素用ガイドを備えたリッドの分解斜視図である。
【図１０】図９のリッドに設けたスライド要素のガイドを下側から詳細に示す図である。
【図１１】図１０のＸＩ−ＸＩ線に沿った断面図である。
【図１２】図９〜１１の構造体の細部、特に対のスライド要素を同期させるための装置を示す図である。
【符号の説明】
１…車両ルーフ、２…ルーフ開口、３…リッド、４…案内レール、５…連結棒、６…リッド、７…前側のスライド要素、８…後側のスライド要素、９…案内レール、１０…ガイド、１１…ガイド、１２…縦方向中心線、１３…開放方向、１５…リッド、１６…前側のガイド、１７…前側のガイド、１８…後側のガイド、１９…後側のガイド、１９′…後側のガイド、２０…縦方向中心線、２１…（後側のスライド要素の）点、２２…（前側のスライド要素の）点、２３…円弧、２４…（後側のスライド要素の）点、２５…（前側のスライド要素の）点、２６…円弧、３０…前側の補強用成形体、３１…ガイド、３２…ガイド、３３…後側の補強用成形体、３４…ガイド、３５…ガイド、４０…前側の補強用成形体、４１…ガイド要素、４２…外側の溝、４３…接着剤、４４…中央の溝、４５…スライド要素、４５′…肉厚部、４６…ガイド要素、４７…後側の補強用成形体、４８…中央の溝、４９…後側のスライド要素、５０…連結棒、５１…溝、５２…接着剤、５９…縦方向中心線、６０…摺動方向、６１…リッド、６２…補強用成形体、６３…補強用成形体、６４…接着剤、６５…溝、６６…操作棒、６６′…操作棒、６７…装着片、６８…突起、６８′…突起、６９…縦方向スリット、７０…側方エッジ、７１…側方エッジ、７２…スリット、７２′…スリット、７３…連結軸、７４…連結軸７３の端部、７４′…連結軸７３の端部、７５…横方向ピン、７５′…横方向ピン、７６…補強用成形体６２の面、７７…スリット、７８…固定板、７９…固定用湾曲部材、８０…環状溝、８１…案内レール、８２…スライドシュー、８３…ピン、８４…スリット、８５…穴、８６…突起、８７…スライドシュー、８８…案内レール、ａ…摺動距離、ｂ…摺動距離、ｃ…横方向摺動距離、ｄ…横方向摺動距離、Ｍ…サーボモータ、Ｋ…ケーブル
【図１】
0004119958.tif 000002
【図２】
0004119958.tif 000003
【図３】
0004119958.tif 000004
【図４】
0004119958.tif 000005
【図５】
0004119958.tif 000006
【図６】
0004119958.tif 000007
【図７】
0004119958.tif 000008
【図８】
0004119958.tif 000009
【図９】
0004119958.tif 000010
【図１０】
0004119958.tif 000011
【図１１】
0004119958.tif 000012
【図１２】
0004119958.tif 000013